(57)【特許請求の範囲】
【請求項１】
透明合成樹脂材より射出成型されて前端壁面が開放して出入口に形成される箱本体主部と、透明合成樹脂材より射出成型されて上面が開口し、箱本体主部に、その出入口からピッタリと、その外形縁まで、全体が内没して収納可能な引出体から構成し、引出体の対角稜の一部を箱本体主部の出入口の対角稜の一部に露出して突状摘み縁を設け、箱本体主部と引出体の擦り合せ面に互いに凸部と凹部を弾圧係合して収納状態を維持し、箱本体主部の外面に設けるカムフラージュ施飾体の一部をロックピンを有するロック片に設け、そのロックピンを箱本体主部および引出体のロック孔に貫通して二重にロックしてなるパズルボックス。
【請求項２】
透明合成樹脂材より射出成型されて前端壁面が開放して出入口に形成される箱本体主部と、透明合成樹脂材より射出成型されて上面が開口し、前記箱本体主部に、その出入口からピッタリと、その外形縁まで、全体が内没して収納可能な引出体から構成し、前記箱本体主部の出入口に対して底面壁の左縁部と左側面壁の下縁部と、上面壁の右縁部と右側面壁の上縁部とに接続する角稜部の所要の幅と長さを後方に開口して左側スリットと右側スリットを設け、引出体を、上面が開放する開口部で、前端面壁、後端面壁、底面壁、左側面壁および右側面壁からなる函状体に設け、その左側面壁の下縁部と底面壁の左縁部が接続する下角稜部と、その引出体の右側面壁の上縁部の上角稜部とに夫々側外方に水平翼状に突出する左突状摘み縁と右突状摘み縁を設け、箱本体主部の外面にロック片付き施飾体の一部を内面にロックピンを突設したロック片に分割形成し、このロックピンと対応して、箱本体主部に箱本体主部ロック孔を、その内側の引出体に引出体ロック孔を夫々貫通開設してなるパズルボックス。
【請求項３】
透明合成樹脂材より射出成型されて前端壁面が開放して出入口に形成される箱本体主部と、透明合成樹脂材より射出成型されて上面が開口し、前記箱本体主部に、その出入口からピッタリと、その外形縁まで、全体が内没して収納可能な引出体から構成し、前記箱本体主部の出入口に対して底面壁の左縁部と左側面壁の下縁部と、上面壁の右縁部と右側面壁の上縁部とに接続する角稜部の所要の幅と長さを後方に開口して左側スリットと右側スリットを設け、箱本体主部の右側スリットを構成する右側面壁の上面に凸部を形成し、引出体の右突状摘み縁の下面に凹部を形成し、引出体を箱本体主部にピッタリと収納したとき、両者を係合して引出体を箱本体主部から軽い振動等でみだりに滑りださないように設け、引出体を、上面が開放する開口部で、前端面壁、後端面壁、底面壁、左側面壁および右側面壁からなる函状体に設け、その左側面壁の下縁部と底面壁の左縁部が接続する下角稜部と、その引出体の右側面壁の上縁部の上角稜部とに夫々側外方に水平翼状に突出する左突状摘み縁と右突状摘み縁を設け、箱本体主部の外面にロック片付き施飾体の一部を内面にロックピンを突設したロック片に分割形成し、このロックピンと対応して、箱本体主部に箱本体主部ロック孔を、その内側の引出体に引出体ロック孔を夫々貫通開設してなるパズルボックス。
【発明の詳細な説明】
【０００１】
【発明が属する技術分野】
この発明は、お客様を呼んでの家庭パーティ等で披露される頭の体操型のパズルボックスに関するものである。
【０００２】
【従来の技術】
従来、この種のパズルボックスは、透明ボックスであって、この中にコイン、お菓子、小さなおもちゃ等をいれ、道具は一切使用せず手だけで、短時間内に、箱を開けて中身を取り出すパズル貯金箱は知られている。
【０００３】
【発明が解決しようとする課題】
前記従来の項で述べたように、パズルボックスは知られているが、開放条件として道具は一切使用せず手だけでということから、パズル貯金箱の全体を強く動揺を与えたり、あるいは外側を強く叩く行為にでることがあり、それらの弾みで蓋が開きあるいは引き出しが出てしまうことがあった。
【０００４】
この発明は、これらの動揺あるいは叩くことによる衝撃から容易に開かないパズル貯金箱を提供しようとなされたものである。
【０００５】
【課題を解決するための手段】
透明合成樹脂材より射出成型されて前端壁面が開放して出入口に形成される箱本体主部と、透明合成樹脂材より射出成型されて上面が開口し、箱本体主部に、その出入口からピッタリと、その外形縁まで、全体が内没して収納可能な引出体から構成し、引出体の対角稜の一部を箱本体主部の出入口の対角稜の一部に露出して突状摘み縁を設け、箱本体主部と引出体の擦り合せ面に互いに凸部と凹部を弾圧係合して収納状態を維持し、箱本体主部の外面に設けるカムフラージュ施飾体の一部をロックピンを有するロック片に設け、そのロックピンを箱本体主部および引出体のロック孔に貫通して二重にロックしてなるパズルボックスにある。
【０００６】
透明合成樹脂材より射出成型されて前端壁面が開放して出入口に形成される箱本体主部と、透明合成樹脂材より射出成型されて上面が開口し、前記箱本体主部に、その出入口からピッタリと、その外形縁まで、全体が内没して収納可能な引出体から構成し、前記箱本体主部の出入口に対して底面壁の左縁部と左側面壁の下縁部と、上面壁の右縁部と右側面壁の上縁部とに接続する角稜部の所要の幅と長さを後方に開口して左側スリットと右側スリットを設け、引出体を、上面が開放する開口部で、前端面壁、後端面壁、底面壁、左側面壁および右側面壁からなる函状体に設け、その左側面壁の下縁部と底面壁の左縁部が接続する下角稜部と、その引出体の右側面壁の上縁部の上角稜部とに夫々側外方に水平翼状に突出する左突状摘み縁と右突状摘み縁を設け、箱本体主部の外面にロック片付き施飾体の一部を内面にロックピンを突設したロック片に分割形成し、このロックピンと対応して、箱本体主部に箱本体主部ロック孔を、その内側の引出体に引出体ロック孔を夫々貫通開設してなるパズルボックスとしてもよいものである。
【０００７】
透明合成樹脂材より射出成型されて前端壁面が開放して出入口に形成される箱本体主部と、透明合成樹脂材より射出成型されて上面が開口し、前記箱本体主部に、その出入口からピッタリと、その外形縁まで、全体が内没して収納可能な引出体から構成し、前記箱本体主部の出入口に対して底面壁の左縁部と左側面壁の下縁部と、上面壁の右縁部と右側面壁の上縁部とに接続する角稜部の所要の幅と長さを後方に開口して左側スリットと右側スリットを設け、箱本体主部の右側スリットを構成する右側面壁の上面に凸部を形成し、引出体の右突状摘み縁の下面に凹部を形成し、引出体を箱本体主部にピッタリと収納したとき、両者を係合して引出体を箱本体主部から軽い振動等でみだりに滑りださないように設け、引出体を、上面が開放する開口部で、前端面壁、後端面壁、底面壁、左側面壁および右側面壁からなる函状体に設け、その左側面壁の下縁部と底面壁の左縁部が接続する下角稜部と、その引出体の右側面壁の上縁部の上角稜部とに夫々側外方に水平翼状に突出する左突状摘み縁と右突状摘み縁を設け、箱本体主部の外面にロック片付き施飾体の一部を内面にロックピンを突設したロック片に分割形成し、このロックピンと対応して、箱本体主部に箱本体主部ロック孔を、その内側の引出体に引出体ロック孔を夫々貫通開設してなるパズルボックスとしてもよいものである。
【０００８】
【発明の実施の形態】
透明合成樹脂材より射出成型されて前端壁面が開放して出入口に形成される箱本体主部と、透明合成樹脂材より射出成型されて上面が開口し、前記箱本体主部に、その出入口からピッタリと、その外形縁まで、全体が内没して収納可能な引出体から構成し、前記箱本体主部の出入口に対して底面壁の左縁部と左側面壁の下縁部と、上面壁の右縁部と右側面壁の上縁部とに接続する角稜部の所要の幅と長さを後方に開口して左側スリットと右側スリットを設け、引出体を、上面が開放する開口部で、前端面壁、後端面壁、底面壁、左側面壁および右側面壁からなる函状体に設け、その左側面壁の下縁部と底面壁の左縁部が接続する下角稜部と、その引出体の右側面壁の上縁部の上角稜部とに夫々側外方に水平翼状に突出する左突状摘み縁と右突状摘み縁を設け、箱本体主部の右側スリットを構成する右側面壁の上面に凸部を形成し、引出体の右突状摘み縁の下面に凹部を形成し、引出体を箱本体主部にピッタリと収納したとき、両者を係合して引出体を箱本体主部から軽い振動等でみだりに滑りださないように設け、箱本体主部の上面壁と底面壁の夫々の外面には、カムフラージュのため、出入口に対向する上面飾り溝と底面飾り溝とを所要の間隔で形成し、箱本体主部の上面壁、底面壁の外面および左側面壁と右側面壁の外面に対して横断方向に連接しかつ、前端面の出入口寄りと後端面壁寄りとにカムフラージュバンドとロック片付きカムフラージュバンドを巻回状に配備し、そのロック片付きカムフラージュバンドは、一部を内面にロックピンを突設したロック片に分割形成し、このロックピンと対応して箱本体主部の左側面壁部に箱本体主部ロック孔を、その内側の引出体の左側面壁に引出体ロック孔を夫々貫通開設してなるパズルボックス。
【０００９】
【実施例】
以下、この発明のパズルボックスを図面に示す実施例により説明すると、実施例のパズルボックスパズル１は、図１に示すように、透明合成樹脂材より射出成型されて前端壁面が開放して出入口１ａ１に形成される箱本体主部１ａと、同じく、透明合成樹脂材より射出成型されて上面が開口し、前記箱本体主部１ａに、その出入口１ａ１からピッタリと、その外形縁まで、全体が内没して収納可能な引出体２から構成する。
【００１０】
前記箱本体主部１ａの出入口１ａ１に対して底面壁１ａ４の左縁部と左側面壁１ａ５の下縁部と、上面壁１ａ３の右縁部と右側面壁１ａ６の上縁部とに接続する角稜部の所要の幅と長さを後方に開口して左側スリット３と右側スリット４を設けている。
【００１１】
前記引出体２は、上面が開放する開口部２ａ３で、前端面壁２ａ１、後端面壁２ａ２、底面壁２ａ４、左側面壁２ａ５および右側面壁２ａ６からなる函状体に構成され、その左側面壁２ａ５の下縁部と底面壁２ａ４の左縁部が接続する下角稜部と、その右側面壁２ａ６の上縁部の上角稜部とに夫々側外方に水平翼状に突出する左突状摘み縁５と右突状摘み縁６を設けている。このため、引出体２は、左突状摘み縁５と右突状摘み縁６を箱本体主部１ａの左側スリット３と右側スリット４に嵌入して収納されると共に、その収納時に左側面壁２ａ５の下縁部と底面壁２ａ４の左縁部が接続する下角稜部と、右側面壁２ａ６の上縁部の上角稜部の一部を構成し、その左突状摘み縁５と右突状摘み縁６を、例えば、右手の親指と人指し指とで摘むことができ、その圧力で箱本体主部１ａから引き出すことができる。
【００１２】
実施例では、箱本体主部１ａの右側スリット４を構成する右側面壁１ａ６の欠損上面に凸部７を形成し、引出体２の右突状摘み縁６の下面に凹部８を形成し、引出体２を箱本体主部１ａにピッタリと収納したとき、両者を係合して引出体２を箱本体主部１ａから軽い振動等でみだりに滑りださないように設けている。また、引出体２の前端面壁２ａ１にコイン挿入口９を設けている。
【００１３】
前記箱本体主部１ａの上面壁１ａ３と底面壁１ａ４の夫々の外面には、カムフラージュのため、例えば、図面に示すように、出入口１ａ１に対向する上面飾り溝１０ａと底面飾り溝１０ｂとを所要の間隔で形成している。また、前記箱本体主部１ａの上面壁１ａ３、底面壁１ａ４の外面および左側面壁１ａ５と右側面壁１ａ６の外面に対して横断方向に連接し、かつ、前端面の出入口１ａ１寄りと後端面壁１ａ２寄りとにカムフラージュバンド１１ａとロック片付きカムフラージュバンド１１ｂを巻回状に配備している。そのロック片付きカムフラージュバンド１１ｂは、一部を内面にロックピン１２ａを突設したロック片１２に分割形成している。このロックピン１２ａと対応して、実施例では、箱本体主部１ａの左側面壁部１ａ５に箱本体主部ロック孔１３を、その内側の引出体２の左側面壁２ａ５に引出体ロック孔１４を夫々貫通開設している。
【００１４】
前記カムフラージュバンド１１ａとロック片付きカムフラージュバンド１１ｂは、図７に示すように、上半部１１ａ１、１１ｂ１と下半部１１ａ２、１１ｂ２とに分割形成し、さらに内面の接続子１１ａ３、１１ｂ３を突設し、これらを箱本体主部１ａの上面壁１ａ３、底面壁１ａ４に開口した接続孔１１ａ４、１１ｂ４に嵌入溶着して固着している。
【００１５】
前記カムフラージュバンド１１ａとロック片付きカムフラージュバンド１１ｂは、図示の形状に限定されるものではなく、箱本体主部１ａを周回して配備する必要はなく、外面の一部を施飾する飾り体、キャラクター等であってもよいものである。
【００１６】
前記箱本体主部１ａの上面壁１ａ３の外面には、上面表示１５を適宜手段で形成し、ゲーム者に手渡す時に上面壁１ａ３を上面側になるようにしている。
【００１７】
この発明のパズルボックス１は、前述のように構成されるから、コイン挿入口９からコインを入れ、これを、道具を一切使用しないで、手だけで１０秒以内に開けたら上げると言ってゲーム者に手渡す。ゲーム者は、瞬間に開けられると思って手を掛けるが、パズルボックス１の外面は、手掛かりが全くなく、途方にくれて全体を叩いたり、あるいは、振って振動を与えたりするが、開かないものである。そこで、よく観察すると、パズルボックス１は箱本体主部１ａと引出体２とで二重になっており、また、パズルボックス１の周囲はバンドが巡らされ、バンドは足が箱本体主部１ａの穴に嵌合して、頑丈に補強されているように見えて、１０秒は瞬く間に経過してしまい、降参となるわけである。
【００１８】
この発明のパズルボックス１は、箱本体主部１ａと引出体２とが、擦り合せ面で互いに凸部７と凹部８とが弾圧係合しているので、簡単に滑り出して引出体２が開くことがなく、また、カムフラージュバンド１１ｂ等の装飾体の一部がロック片１２に構成され、そのロックピン１２ａが箱本体主部１ａと引出体２を貫通しているので、このロック片１２を外さない限り引出体２を箱本体主部１ａから引き出すことができないものである。
【００１９】
【発明の効果】
この発明のパズルボックスは、以上のようになるから、パズルボックスに動揺を与えたり、あるいは外側を叩く行為があっても中箱、引出体等が開くことがなく、パズル貯金箱等のパズルボックスとして趣向に富むものである。
【００２０】
よって、手渡すだけでよいから、ホームパーティ等での余興用の娯楽用具して効果のあるものである。
【図面の簡単な説明】
【図１】この発明のパズルボックスの外観斜視図である。
【図２】同じく、縦断面図である。
【図３】同じく、横断面図である。
【図４】同じく、その引出体を外した外側体単体の斜視図である。
【図５】同じく、引出体単体の斜視図である。
【図６】同じく、カムフラージュバンドとロック片付きカムフラージュバンドの分割構成実施例を示す斜視図である。
【図７】同じく、ロックバンド片単体における連接面側の斜視図である。
【符号の説明】
１  パズルボックス
１ａ  箱本体主部
１ａ１  出入口
１ａ２  後端面壁
１ａ３  上面壁
１ａ４  底面壁
１ａ５  左側面壁
１ａ６  右側面壁
２  引出体
２ａ１  前端面壁
２ａ２  後端面壁
２ａ３  開口部
２ａ４  底面壁
２ａ５  左側面壁
２ａ６  右側面壁
３  左側スリット
４  右側スリット
５  左突状摘み縁
６  右突状摘み縁
７  凸部
８  凹部
９  コイン挿入口
１０ａ  上面飾り溝
１０ｂ  底面飾り溝
１１ａ  カムフラージュバンド
１１ａ１  上半部
１１ａ２  下半部
１１ａ３  接続子
１１ａ４  接続孔
１１ｂ  ロック片付きカムフラージュバンド
１１ｂ１  上半部
１１ｂ２  下半部
１１ｂ３  接続子
１１ｂ４  接続孔
１２  ロック片
１２ａ  ロックピン
１３  箱本体主部ロック孔
１４  引出体ロック孔
１５  上面表示
【図１】
0003887800.tif 000002
【図２】
0003887800.tif 000003
【図３】
0003887800.tif 000004
【図４】
0003887800.tif 000005
【図５】
0003887800.tif 000006
【図６】
0003887800.tif 000007
【図７】
0003887800.tif 000008